(57)【要約】【課題】  樹脂製の境界杭あるいはその他の樹脂製の杭において、杭の形状や表示機能あるいは強度を損なうことなく、重量を半分程度に軽量化した樹脂製の境界杭あるいは樹脂製のその他の杭を開発する。【解決手段】  樹脂製の境界杭あるいはその他の樹脂製の杭において、該境界杭の頭部を、外観が角柱状あるいは円柱状で内部は空洞とし、１枚以上の縦長の板状体を一体として集成させたボディの上端を上記頭部の頂板の底面に一体として固着した軽量境界杭あるいは軽量杭を提供する。【選択図】        図１
2005180937.tif 000002
【特許請求の範囲】
【請求項１】
頭部の頂板に情報を表示する合成樹脂製の境界杭において、該境界杭の頭部を、外観が角柱状あるいは円柱状で内部は空洞とし、ボディが１枚以上の縦長の板状体を一体として集成させてなり、該ボディの上端が上記頭部の頂板の底面に一体として固着され、上記ボディの下端が鋭角状に構成されていることを特徴とする軽量境界杭。
【請求項２】
頭部に情報を表示可能な合成樹脂製の杭において、該杭の頭部を、外観が角柱状あるいは円柱状で内部は空洞とし、ボディが１枚以上の縦長の板状体を一体として集成させてなり、該ボディの上端が上記頭部の頂板の底面に一体として固着され、上記ボディの下端が鋭角状に構成されていることを特徴とする軽量杭。
【発明の詳細な説明】
【技術分野】
【０００１】
本発明は、合成樹脂製の軽量境界杭及び軽量杭に関するものであり、さらに詳しくは、頭部の頂板に情報を表示する合成樹脂製の境界杭において、該境界杭の頭部を、外観が角柱状あるいは円柱状で内部は空洞とし、ボディが１枚以上の縦長の板状体を一体として集成させてなり、該ボディの上端が上記頭部の頂板の底面に一体として固着され、上記ボディの下端が鋭角状に構成されていることを特徴とする軽量境界杭、及び、頭部に情報を表示可能な合成樹脂製の杭において、該杭の頭部を、外観が角柱状あるいは円柱状で内部は空洞とし、ボディが１枚以上の縦長の板状体を一体として集成させてなり、該ボディの上端が上記頭部の頂板の底面に一体として固着され、上記ボディの下端が鋭角状に構成されていることを特徴とする軽量杭に関するものである。
【背景技術】
【０００２】
従来、土地の境界や樹木名、あるいは地点名や文化財名や施設名を表示するのに、合成樹脂製の棒状の杭が広く用いられてきた。以前は木製やコンクリート製の杭が多用されたが、木製の杭は腐食に弱く、あるいはコンクリート製の杭は重くて施工現場までの運搬に難があった。特に、山間部においては、木製の杭は湿度や虫害等により損傷が甚だしく、また、車道のないところにおいてはコンクリート製の杭を人力で運搬するのは重労働で、これらに代わって合成樹脂製の棒状の杭が多用されることとなったものである。
【０００３】
特許文献１には、従来多用されてきた合成樹脂製の棒状の杭の１例が、「標示器」という名称で開示されており、その外観は図８ａに示すとおりのものである。図８ａにおいて、ＲＡは標示器、Ｒ１は本体であり、Ｒ２は頭部、Ｒ３は情報が標示される標示キャップ、Ｒ４は頭部カバーである。標示器ＲＡは図８ｂの断面図に示すように、全体が合成樹脂製で、内部に空洞は設けられていない。
【特許文献１】特開平２００３−３２２５２５
【発明の開示】
【発明が解決しようとする課題】
【０００４】
特許文献１の「標示器」は、全体が合成樹脂製なので、木製より腐食に強く、コンクリート製より軽量である。しかしながら、内部まで合成樹脂が充填されているので、軽量といえどもある程度の重量はあり、境界杭としては標準の長さ４５ｃｍ程度のもので１本約３５０〜４００ｇ程度である。前述のように、山間部においては自動車の進入できない場所も多く、そのような場所に設置する場合、人力で運搬せざるを得ないので、外観は略同一で、１本あたりの重量をさらに軽くしたいという課題があった。またその際、強度の低下を招いてはならないという条件は当然付帯される。
【０００５】
またさらに、境界杭のみならず、杭が使用される様々な分野、例えば、樹木や草花等の名前を表示する杭型の名称表示器や地点や場所を標示する定点標示杭、場所や施設等の方向を示す杭型の方向表示器等においても、やはり外観は杭状で、軽量で丈夫な杭が求められてきた。
【課題を解決するための手段】
【０００６】
本発明は、上記課題を解決するためになされたものであって、下記の解決手段を提供するものである。
＜解決手段１＞
頭部の頂板に情報を表示する合成樹脂製の境界杭において、該境界杭の頭部を、外観が角柱状あるいは円柱状で内部は空洞とし、ボディが１枚以上の縦長の板状体を一体として集成させてなり、該ボディの上端が上記頭部の頂板の底面に一体として固着され、上記ボディの下端が鋭角状に構成されていることを特徴とする軽量境界杭。
【０００７】
＜解決手段２＞
頭部に情報を表示可能な合成樹脂製の杭において、該杭の頭部を、外観が角柱状あるいは円柱状で内部は空洞とし、ボディが１枚以上の縦長の板状体を一体として集成させてなり、該ボディの上端が上記頭部の頂板の底面に一体として固着され、上記ボディの下端が鋭角状に構成されていることを特徴とする軽量杭。
【発明の効果】
【０００８】
本発明の解決手段１の発明によれば、頭部の頂板に情報を表示する合成樹脂製の境界杭において、該境界杭の頭部を、外観が角柱状あるいは円柱状で内部は空洞として構成したので、全体の重量を、従来の境界杭の半分以下とすることができた。例えば、前記特許文献１に記載の「標示器」は、境界杭としては標準的な長さ４５ｃｍのもので１本約３５０〜４００ｇであるが、本発明の実施例１の軽量境界杭は、同じく長さ４５ｃｍのもので約１５０ｇ〜１７０ｇと、半分以下の重量となっている。これは、単純に考えれば、一人の人が約倍の本数の軽量境界杭を運搬できるということであり、作業効率に画期的な改善を齎すものである。
【０００９】
このように、解決手段１の発明による軽量境界杭は、従来の境界杭に比較して約半分の重量であるにもかかわらず、地面の上に露出する頭部の外観は、従来の境界杭と全く変わりがないので、情報表示用としても、遠方から見た場合の視認性もいささかも従来の境界杭に劣らないものである。また、強度面においても、ボディが１枚以上の縦長の板状体を一体として集成させてなるので縦方向の圧力にも横方向の圧力にも強く、さらに、ボディ自体は従来の境界杭に比較して細くなるので地面に打ち込みやすく、また一旦埋設された後は上記１枚以上の縦長の板状体が土中で土をつかむため抜けにくいという大きな効果を奏するものである。
【００１０】
また、解決手段２の発明による軽量杭は、用いられる分野が様々なので１本あたりの重量を特定することはできないが、頭部が同形で長さが等しく、内部まで樹脂が充填されている形態の杭に比較すると、はるかに軽量であることは論を俟たない。解決手段２の発明による軽量杭においては、地上に露出するのはその頭部であるので、外見は内部まで樹脂が充填されている杭といささかも変わりはなく、情報の表示においても、従来の杭と全く同様の用い方ができる。また強度面においても、ボディが１枚以上の縦長の板状体を一体として集成させてなるので縦方向の圧力にも横方向の圧力にも強く、さらに、ボディ自体は従来の杭に比較して細くなるので地面に打ち込みやすく、また一旦埋設された後は上記１枚以上の縦長の板状体が土中で土をつかむため抜けにくいという大きな効果を奏する点も上記軽量境界杭と同様である。
【発明を実施するための最良の形態】
【００１１】
発明を実施するための最良の形態を、以下に、図面を参照しながら詳細に説明する。なお、以下に挙げる実施例１は解決手段１の発明の最良の実施の形態の１例であり、実施例２、実施例３、実施例４は解決手段２の発明の最良の実施の形態の１例である。
【実施例１】
【００１２】
＜実施例１の構成＞
図１ａ〜図４ｅに示すのは、本発明の実施例１の軽量境界杭Ｋ１である。軽量境界杭Ｋ１は、図１ａに示すように合成樹脂製の略四角柱状の頭部１と同じく樹脂製の４枚の板状体よりなるボディ２から構成されている（板状体のうち２枚は図１ａでは見えていない）。頭部１は情報表示機能を有し、ボディ２は地中に埋設されて頭部１を定点に固定保持する役割を有している。なお、頭部１とボディ２の素材である合成樹脂は、有害物質を全く含まず、環境に対して低負荷のポリプロピレンあるいはポリエチレンを使用している。また、素材として、廃プラスチックの再利用をすることも当然考えられることである。
【００１３】
頭部１は、図１ｂ、図２ａ、図３ａ、図３ｂ、図４ａに見るように、正方形の頂板１１と、下端が逆３角形状となった長方形の側板１２ａ、１２ｂ、１２ｃ、１２ｄが一体として構成されている。頂板１１の中央には円形の凹部１１ｅが刻設され、凹部１１ｅには情報Ｊを表示した金属製の円形のプレートＰが嵌着されている（凹部１１ｅを持たず、プレートＰが嵌着されていないタイプも当然あり得る）。プレートＰは、その中央に穿設された円孔ｈ１（図４ａ参照）と頂板１１の中央に穿設された円孔ｈ２（図４ａ、図１ｂ参照）に釘Ｎが挿嵌されることにより、頂板１１に固定されている。また、円孔１１ｅの四周には、放射状に溝１１ａ、１１ｂ、１１ｃ、１１ｄが刻設されており、図４ａに見るように、溝１１ａと溝１１ｃを結ぶラインＬ１と溝１１ｂと溝１１ｄを結ぶラインＬ２の交点が釘Ｎの中心点にくるように構成されている。また、側板１２ｂには、図１ｂに見るように情報Ｊが表示されている。
【００１４】
ボディ２は、図２ａ、図２ｂ、図３ａ、図３ｂ、図４ｂ〜図４ｅに見るように、縦長の４枚の板状体２１、２２、２３、２４が夫々長手方向の１辺において一体として形成されているもので、その横断面は図４ｂ〜図４ｅに見るように略十字形となっている。（ボディ２が１枚の板状体で構成される場合もあり得る。）板状体２１、２２、２３、２４は、その上端が頭部１の頂板１１の裏面に一体として固着され、頭部１の内部に位置する部分においては頭部１の頂板１１の１辺の長さの約２分の１の幅を有していて、板状体２１の長手方向の１辺が頭部１の側板１２ａの裏面に、板状体２２の長手方向の１辺が頭部１の側板１２ｂの裏面に、板状体２３の長手方向の１辺が頭部１の側板１２ｃの裏面に、板状体２４の長手方向の１辺が頭部１の側板１２ｄの裏面に、夫々一体として固着されているが（図４ｃ参照）、頭部１の下端部より下の部分において、板状体２１、２２、２３、２４の幅は斜線２１ａ、２２ａ、２３ａ、２４ａをもって滑らかに縮小され（図２ａ、図２ｂ参照）、頭部１の頂板１１の１辺の長さの約４分の１強の幅となる。さらに下方に向かうに従い、板状体２１、２２、２３、２４の幅は僅かのテーパーをもって縮小され、下端部２１ｂ、２２ｂ、２３ｂ、２４ｂにおいて斜線２１ｃ、２２ｃ、２３ｃ、２４ｃをもって下方に尖った鋭角状をなす。
【００１５】
頭部１とボディ２が上記のように構成されている結果として、頭部１の内部の空洞にボディ２の上端が挿入固着されている形態となるので、頭部１の内部には、図４ｃに見るように４個の空洞部分１３ａ、１３ｂ、１３ｃ、１３ｄが形成される。しかも、板状体２１、２２、２３、２４の上端部の１辺が頭部１の側板１２ａ、１２ｂ、１２ｃ、１２ｄの裏面に一体として固着されているので、空洞部分１３ａ、１３ｂ、１３ｃ、１３ｄが形成されていても、頭部１全体の強度は、頭部１の内部を合成樹脂で充填した場合と同等以上に強固なものである。また、ボディ２も、板状体２１、２２、２３、２４が一体として略十字形に形成されているので、縦方向の圧力にも横方向の圧力にも強い構造となっている。また、図２ｂに見るように、頭部１の頂板１１の中央とボディ２の上端部中央には、釘Ｎを挿嵌させるための円孔ｈ２が穿設されている。
【００１６】
＜実施例１の作用＞
実施例１の軽量境界杭Ｋ１は、上記のように、頭部１の内部に空洞部分１３ａ、１３ｂ、１３ｃ、１３ｄが形成されているので、全体の重量が軽く、同形同寸で内部を合成樹脂で充填した従来の境界杭（標示器）ＲＡ（図８ａ参照）に比較すると、その重さは半分以下となっている。すなわち、従来の境界杭ＲＡが、長さ４５ｃｍ、頂板の１辺が４．５ｃｍの標準のもので１本約３５０〜４００ｇであるのに対して、実施例１の軽量境界杭Ｋ１は、同じく長さ４５ｃｍ、頂板の１辺が４．５ｃｍのもので１本約１５０ｇ〜１７０ｇである。従って、特に自動車の進入不可能な山間部等に軽量境界杭Ｋ１を埋設する場合には、計算上は従来の境界杭（標示器）ＲＡの約２倍の本数を１人の人により運搬できることになる。軽量境界杭Ｋ１は、従来の境界杭（標示器）ＲＡと同様、頭部１の適切な部分（情報を表示した部分）を地上に露出した状態で、地中に埋設される。
【００１７】
このように、軽量であるにもかかわらず、地中に埋設された場合には、頭部１の形状が従来の境界杭（標示器）ＲＡの頭部Ｒ１となんら変わりはなく、従って外観的には、従来の境界杭（標示器）ＲＡと全く同様に杭としての機能を果たすものである。また情報表示機能も従来の境界杭ＲＡに較べて全く遜色のないものである。さらに、軽量境界杭Ｋ１を地中に埋設する場合には、軽量境界杭Ｋ１に縦方向、あるいは横方向からの圧力が働くが、上記構成で述べたように、軽量境界杭Ｋ１は縦方向の圧力にも横方向の圧力にも充分な強度を有するものである。さらに、ボディ２が従来の境界杭（標示器）ＲＡに比較してスリムで、板状体２１、２２、２３、２４の幅が、下方に向かうに従って僅かに縮小するテーパーが付されているので、打ち込む場合にも極めて打ち込みやすいものである。
【００１８】
なお、実施例１の軽量境界杭Ｋ１は、頭部１が角柱状に構成されていたが、これを円柱状に構成することも可能である。またボディ２は４枚の板状体２１、２２、２３、２４にて構成されていたが、板状体の枚数を１枚、２枚、３枚、５枚、６枚あるいはそれ以上とすることも当然可能である。いずれの場合も、頭部の内部に空洞部分が形成されていなければならないのは勿論である。
【実施例２】
【００１９】
＜実施例２の構成＞
図５ａ、図５ｂに示すのは、本発明の実施例２の軽量杭Ｋ２であり、文化財標示杭として使用されている状態を示している。軽量杭Ｋ２は、図５ａに示すように樹脂製で内部が空洞の略四角柱状の頭部３と、同じく合成樹脂製の４枚の板状体４１、４２、４３、４４よりなるボディ４から構成されている。頭部３は情報表示機能を有し、ボディ４は地中に埋設されて頭部３を定点に固定保持する役割を有している。なお、頭部３とボディ４の素材である合成樹脂は、実施例１同様有害物質を全く含まず環境に対して低負荷のポリプロピレンあるいはポリエチレンを使用しており、素材として、廃プラスチックの再利用をすることも当然考えられることである。
【００２０】
実施例２の構成は実施例１の構成と略同様であるが、頭部３の頂板３１には情報は表示されていない。ボディ４の板状体４１の上端部の一辺が頭部３の側面３２ａの裏面に一体として固着され、板状体４２の上端部の一辺が頭部３の側面３２ｂの裏面に一体として固着され、板状体４３の上端部の一辺が頭部３の側面３２ｃの裏面に一体として固着され、板状体４４の上端部の一辺が頭部３の側面３２ｄの裏面に一体として固着され、頭部３の内部に空洞部分３３ａ、３３ｂ、３３ｃ、３３ｄが形成されている。ボディ４は頭部３の下部から下で急に細くなりさらに下方に向かうほど細くなる僅かなテーパーが付され、最下端は鋭角状となっている。また、頭部３の側面３２ｂには情報Ｊが表示されている。
【００２１】
＜実施例２の作用＞
実施例２の軽量杭Ｋ２は、上記のように、頭部１の内部に空洞部分３３ａ、３３ｂ、３３ｃ、３３ｄが形成されているので、全体の重量が軽く、同形同寸で内部を合成樹脂で充填した杭（図示せず）に比較すると、その重さは半分以下となり、運搬にも埋設作業にも便であることは実施例１の軽量境界杭Ｋ１と同様である。軽量杭Ｋ２は、従来の同形の杭（図示せず）と同様、頭部３の適切な部分（情報を表示した部分）を地上に露出した状態で、地中に埋設される。
【００２２】
このように、軽量であるにもかかわらず、地中に埋設された場合には、頭部３の形状が従来の同形の杭（図示せず）の頭部となんら変わりはなく、従って外観的には、上記従来の同形の杭と全く同様に杭としての機能を果たすものである。また情報表示機能も上記従来の同形の杭に較べて全く遜色のないものである。さらに、軽量杭Ｋ２を地中に埋設する場合には、軽量杭Ｋ２に縦方向、あるいは横方向からの圧力が働くが、上記構成から明らかなように、軽量杭Ｋ２は縦方向の圧力にも横方向の圧力にも充分な強度を有するものである。さらに、ボディ４が上記従来の同形の杭に比較してスリムで、板状体４１、４２、４３、４４の幅が、下方に向かうに従って僅かに縮小するテーパーが付されているので、打ち込む場合にも極めて打ち込みやすい点も実施例１の軽量境界杭Ｋ１とである。
【００２３】
なお、実施例２の軽量杭Ｋ２は、頭部３が角柱状に構成されているが、これを円柱状に構成することも可能である。またボディ４は４枚の板状体４１、４２、４３、４４にて構成されていたが、板状体の枚数を１枚、２枚、３枚、５枚、６枚あるいはそれ以上とすることも当然可能である。いずれの場合も、頭部の内部に空洞部分が形成されていなければならないのは勿論である。
【実施例３】
【００２４】
＜実施例３の構成＞
図６ａ、図６ｂに示すのは、本発明の実施例３の軽量杭Ｋ３であり、樹木名表示杭として使用されている状態を示している。軽量杭Ｋ３は、図６ａに示すように合成樹脂製で内部が空洞の円柱状の頭部５と、同じく合成樹脂製の３枚の板状体６１、６２、６３よりなるボディ６から構成されている。頭部５は情報表示機能を有し、ボディ６は地中に埋設されて頭部５を定点に固定保持する役割を有している。なお、頭部５とボディ６の素材である合成樹脂は、実施例１、実施例２同様有害物質を全く含まず環境に対して低負荷のポリプロピレンあるいはポリエチレンを使用しており、素材として、廃プラスチックの再利用をすることも当然考えられることである。
【００２５】
実施例３の構成は、頭部５が円柱状となり、ボディ６が３枚の板状体６１、６２、６３から構成されている以外は実施例２の構成と略同様である。ボディ６の板状体６１の上端部の一辺が頭部５の側面５２の裏面に一体として固着され、板状体６２の上端部の一辺が頭部５の側面５２の裏面に一体として固着され、板状体６３の上端部の一辺が頭部５の側面５２の裏面に一体として固着され、頭部５の内部に空洞部分５３ａ、５３ｂ、５３ｃが形成されている。ボディ６は頭部５の下部から下で急に細くなりさらに下方に向かうほど細くなる僅かなテーパーが付され、最下端は鋭角状となっている。また、頭部５の側面５２には情報Ｊが表示されている。
【００２６】
＜実施例３の作用＞
実施例３の軽量杭Ｋ３は、上記のように、頭部５の内部に空洞部分５３ａ、５３ｂ、５３ｃが形成されているので、全体の重量が軽く、同形同寸で内部を合成樹脂で充填した杭（図示せず）に比較すると、その重さは半分以下となり、運搬にも埋設作業にも便であることは実施例１の軽量境界杭Ｋ１と同様である。軽量杭Ｋ３は、従来の同形の杭（図示せず）と同様、頭部５の適切な部分（情報を表示した部分）を地上に露出した状態で、地中に埋設される。
【００２７】
このように、軽量であるにもかかわらず、地中に埋設された場合には、頭部５の形状が従来の同形の杭（図示せず）の頭部となんら変わりはなく、従って外観的には、上記従来の同形の杭と全く同様に杭としての機能を果たすものである。また情報表示機能も上記従来の同形の杭に較べて全く遜色のないものである。さらに、軽量杭Ｋ３を地中に埋設する場合には、軽量杭Ｋ３に縦方向、あるいは横方向からの圧力が働くが、上記構成から明らかなように、軽量杭Ｋ３は縦方向の圧力にも横方向の圧力にも充分な強度を有するものである。さらに、ボディ６が上記従来の同形の杭に比較してスリムで、板状体６１、６２、６３の幅が、下方に向かうに従って僅かに縮小するテーパーが付されているので、打ち込む場合にも極めて打ち込みやすい点も実施例１の軽量境界杭Ｋ１と同様である。
【００２８】
なお、実施例３の軽量杭Ｋ３は、頭部５が円柱状に構成されているが、これを角柱状に構成することも可能である。またボディ６は３枚の板状体６１、６２、６３にて構成されていたが、板状体の枚数を１枚、２枚、４枚、５枚、６枚あるいはそれ以上とすることも当然可能である。いずれの場合も、頭部の内部に空洞部分が形成されていなければならないのは勿論である。
【実施例４】
【００２９】
＜実施例４の構成＞
図７ａ、図７ｂに示すのは、本発明の実施例４の軽量杭Ｋ４であり、園芸用の柵の一部として使用されている状態を示している。軽量杭Ｋ４は、図７ａに示すように合成樹脂製で内部が空洞の略四角柱状の頭部７と、同じく合成樹脂製の４枚の板状体８１、８２、８３、８４よりなるボディ８から構成されている。頭部７には情報表示機能はなく、ボディ８は地中に埋設されて頭部７を固定保持する役割を有している。また、ｈ３、ｈ４は図示しない横板を螺着するための螺子孔である。なお、頭部７とボディ８の素材である合成樹脂は、実施例１同様有害物質を全く含まず環境に対して低負荷のポリプロピレンあるいはポリエチレンを使用しており、素材として、廃プラスチックの再利用をすることも当然考えられることである。
【００３０】
実施例４の構成は実施例１の構成と略同様であるが、図７ｂに見るように頭部７の長方形状の頂板７１にも側板７２ａ、７２ｂ、７２ｃ、７２ｄにも情報は表示されていない。ボディ８の板状体８１の上端部の一辺が頭部７の側面７２ａの裏面に一体として固着され、板状体８２の上端部の一辺が頭部７の側面７２ｂの裏面に一体として固着され、板状体８３の上端部の一辺が頭部７の側面７２ｃの裏面に一体として固着され、板状体８４の上端部の一辺が頭部７の側面７２ｄの裏面に一体として固着され、頭部７の内部に空洞部分７３ａ、７３ｂ、７３ｃ、７３ｄが形成されている。ボディ８は頭部７の下部から下で急に細くなりさらに下方に向かうほど細くなる僅かなテーパーが付され、最下端は鋭角状となっている。
【００３１】
＜実施例４の作用＞
実施例４の軽量杭Ｋ４は、上記のように、頭部７の内部に空洞部分７３ａ、７３ｂ、７３ｃ、７３ｄが形成されているので、全体の重量が軽く、同形同寸で内部を合成樹脂で充填した杭（図示せず）に比較すると、その重さは半分以下となり、運搬にも埋設作業にも便であることは実施例１の軽量境界杭Ｋ１と同様である。軽量杭Ｋ４は、従来の同形の杭（図示せず）と同様、頭部７の適切な部分を地上に露出した状態で、地中に連設して埋設され、螺子孔ｈ３、ｈ４を介して図示しない横板が螺着されるものである。
【００３２】
このように、軽量であるにもかかわらず、地中に埋設された場合には、頭部７の形状が従来の同形の杭（図示せず）の頭部となんら変わりはなく、従って外観的には、上記従来の同形の杭と全く同様に杭としての機能を果たすものである。さらに、軽量杭Ｋ４を地中に埋設する場合には、軽量杭Ｋ４に縦方向、あるいは横方向からの圧力が働くが、上記構成から明らかなように、軽量杭Ｋ４は縦方向の圧力にも横方向の圧力にも充分な強度を有するものである。さらに、ボディ８が上記従来の同形の杭に比較してスリムで、板状体８１、８２、８３、８４の幅が、下方に向かうに従って僅かに縮小するテーパーが付されているので、打ち込む場合にも極めて打ち込みやすい点も実施例１の軽量境界杭Ｋ１と同様である。
【産業上の利用可能性】
【００３３】
本発明は、従来、合成樹脂製の杭が用いられていたあらゆる分野において、従来の杭より遥かに軽量で、外観や情報表示機能は従来の合成樹脂製の杭と全く変わらない軽量杭を提供できるものである。その利用分野としては、あらゆるタイプの境界杭、文化財標示用の杭、園芸用の杭等にとどまらず、公園や緑地等の都市基盤整備の分野においても定点標示、あるいは地点表示用の杭として、また方向表示用の杭として用いることができる。さらに、諸施設においても、地点表示用の杭として、また方向表示用の杭として用いることが可能である。
【図面の簡単な説明】
【００３４】
【図１】（ａ）本発明の実施例１の軽量境界杭の外観斜視図である。（ｂ）本発明の実施例１の軽量境界杭の一部を省略した外観斜視図である。
【図２】（ａ）本発明の実施例１の軽量境界杭の正面図である。（ｂ）図２ａのＡ−Ａ断面図である。
【図３】（ａ）図２ａのＢ−Ｂ断面図である。（ｂ）図２ａのＣ−Ｃ断面図である。
【図４】（ａ）本発明の実施例１の軽量境界杭の平面図である。（ｂ）本発明の実施例１の軽量境界杭の底面図である。（ｃ）図２ａのＤ−Ｄ断面図である。（ｄ）図２ａのＥ−Ｅ断面図である。（ｅ）図２ａのＦ−Ｆ断面図である。
【図５】（ａ）本発明の実施例２の軽量杭の一部を省略した外観斜視図である。（ｂ）本発明の実施例２の軽量杭の一部を省略した外観斜視図である。
【図６】（ａ）本発明の実施例３の軽量杭の一部を省略した外観斜視図である。（ｂ）本発明の実施例３の軽量杭の一部を省略した外観斜視図である。
【図７】（ａ）本発明の実施例４の軽量杭の一部を省略した外観斜視図である。（ｂ）本発明の実施例４の軽量杭の一部を省略した外観斜視図である。
【図８】（ａ）特許文献１に記載の標示器の外観斜視図である。（ｂ）特許文献１に記載の標示器の頭部の縦断面図である。
【符号の説明】
【００３５】
１      頭部
１１    頂板
１１ａ  溝
１１ｂ  溝
１１ｃ  溝
１１ｄ  溝
１１ｅ  凹部
１２ａ  側板
１２ｂ  側板
１２ｃ  側板
１２ｄ  側板
１３ａ  空洞部分
１３ｂ  空洞部分
１３ｃ  空洞部分
１３ｄ  空洞部分
２      ボディ
２１    板状体
２１ａ  斜線
２１ｂ  下端部
２１ｃ  斜線
２２    板状体
２２ａ  斜線
２２ｂ  下端部
２２ｃ  斜線
２３    板状体
２３ａ  斜線
２３ｂ  下端部
２３ｃ  斜線
２４    板状体
２４ａ  斜線
２４ｂ  下端部
２４ｃ  斜線
３      頭部
３１    頂板
３２ａ  側板
３２ｂ  側板
３２ｃ  側板
３２ｄ  側板
３３ａ  空洞部分
３３ｂ  空洞部分
３３ｃ  空洞部分
３３ｄ  空洞部分
４      ボディ
４１    板状体
４２    板状体
４３    板状体
４４    板状体
５      頭部
５１    頂板
５２    側板
５３ａ  空洞部分
５３ｂ  空洞部分
５３ｃ  空洞部分
６      ボディ
６１    板状体
６２    板状体
６３    板状体
７      頭部
７１    頂板
７２ａ  側板
７２ｂ  側板
７２ｃ  側板
７２ｄ  側板
７３ａ  空洞部分  
７３ｂ  空洞部分
７３ｃ  空洞部分
７３ｄ  空洞部分
８      ボディ
８１    板状体
８２    板状体
８３    板状体
８４    板状体
Ｊ      情報
Ｋ１    軽量境界杭
Ｋ２    軽量杭
Ｋ３    軽量杭
Ｋ４    軽量杭
Ｌ１    ライン
Ｌ２    ライン
Ｎ      釘
Ｐ      プレート
Ｒ１    本体
Ｒ２    頭部
Ｒ３    標示キャップ
Ｒ４    頭部カバー
ＲＡ    境界杭
ｈ１    円孔
ｈ２    円孔
ｈ３    螺子孔
ｈ４    螺子孔
【図１】
2005180937.tif 000003
【図２】
2005180937.tif 000004
【図３】
2005180937.tif 000005
【図４】
2005180937.tif 000006
【図５】
2005180937.tif 000007
【図６】
2005180937.tif 000008
【図７】
2005180937.tif 000009
【図８】
2005180937.tif 000010